(57)【要約】【課題】主に各種電子機器に用いられる電池ユニットに関し、製作が容易で、確実な電子回路の保護が可能なものを提供することを目的とする。【解決手段】温度ヒューズ３の端子３Ａが半田付けされるランド１４上面に、略額縁状の絶縁部１５を設けることによって、温度ヒューズ３の端子３Ａをランド１４へ半田付けする際、フラックス７内の余分な半田６Ｂは絶縁部１５外方のランド１４上面に凝固し、半田ボール等が生じることを防ぐことができるため、別途洗浄等の手間がかからず、容易に製作が行えると共に、スイッチング素子２の電極間の短絡等を防止し、確実な電子回路の保護が可能な電池ユニットを得ることができる。【選択図】図１
2010165617.tif 000002
【特許請求の範囲】
【請求項１】
上面に複数の配線パターンやランドが形成された配線基板と、電池電源の切換えを行うスイッチング素子と、このスイッチング素子近傍に装着された温度ヒューズからなり、上記温度ヒューズの端子が半田付けされるランド上面に、略額縁状の絶縁部を設けた電池ユニット。
【発明の詳細な説明】
【技術分野】
【０００１】
本発明は、主に各種電子機器に用いられる電池ユニットに関するものである。
【背景技術】
【０００２】
近年、各種電子機器、特に携帯電話やビデオカメラ等の携帯機器においては、充電可能な電池を装着すると共に、携帯時にはこの電池電源を用いて様々な操作が行われており、これらの機器に用いられる電池ユニットにおいても、安価で、確実な電子回路の保護を行えるものが求められている。
【０００３】
このような従来の電池ユニットについて、図７〜図９を用いて説明する。
【０００４】
図７は従来の電池ユニットの斜視図であり、同図において、１は上下面に複数の配線パターン（図示せず）やランドが形成された配線基板、２はＦＥＴやトランジスタ等のスイッチング素子で、配線基板１上面の複数のランド（図示せず）に、スイッチング素子２が半田付けによって実装接続されている。
【０００５】
そして、３は温度ヒューズで、左右の端子３Ａ先端が略矩形状のランド４に半田６によって半田付けされて、スイッチング素子２近傍の配線基板１上面に載置されると共に、このスイッチング素子２外周と温度ヒューズ３との間には、シリコーン等の熱伝導性樹脂５が塗布されて、電池ユニットが構成されている。
【０００６】
なお、このような電池ユニットを製作する際には、先ず配線基板１上面の複数のランド上面にクリーム半田を印刷した後、ランドにスイッチング素子２の電極を載置し加熱して、配線基板１にスイッチング素子２を半田付けする。
【０００７】
そして、図８の斜視図に示すように、温度ヒューズ３の端子３Ａ先端を略矩形状のランド４上に載せて、温度ヒューズ３をスイッチング素子２近傍に載置し、スイッチング素子２と温度ヒューズ３との間に熱伝導性樹脂５を塗布する。
【０００８】
さらに、この後、図９の部分断面図に示すように、半田鏝によって半田６をランド４に溶融塗布して、温度ヒューズ３の端子３Ａをランド４に半田付けし、熱伝導性樹脂５を乾燥させた後、半田６に含まれ配線基板１上面に付着したフラックス７をブラシ等で除去して、図７に示すような電池ユニットが完成する。
【０００９】
そして、このように構成された電池ユニットが、携帯電話やビデオカメラ等の電子機器内に収納装着されると共に、スイッチング素子２が温度ヒューズ３を介して、配線パターンやコネクタ（図示せず）等によって、電池（図示せず）や機器の電子回路（図示せず）に接続される。
【００１０】
以上の構成において、機器を携帯時には、スイッチング素子２を介して電池から電子回路に電源が供給されて、機器の様々な操作が行われ、また、電池に充電を行う際には、スイッチング素子２が切換えられ、このスイッチング素子２を介して充電器等から電池に充電が行われる。
【００１１】
なお、このような機器の操作時や電池への充電時等に、万が一、回路の短絡等が生じスイッチング素子２に過電流が流れた場合、この過電流によってスイッチング素子２が発熱するが、この熱は熱伝導性樹脂５に伝わり、さらに熱伝導性樹脂５を介して温度ヒューズ３に伝わる。
【００１２】
そして、過電流がある程度以上流れ、温度ヒューズ３に伝わる熱が所定温度以上になった場合には、温度ヒューズ３が溶断して、電池からのスイッチング素子２や電子回路への電源供給が遮断されるようになっている。
【００１３】
つまり、電池とスイッチング素子２の間に接続された温度ヒューズ３が、過電流等によるスイッチング素子２の発熱を検出し、この熱が所定温度以上になった場合には、電池からの電源供給を遮断することによって、短絡等による機器の損傷を未然に防ぐように構成されているものであった。
【００１４】
なお、この出願の発明に関連する先行技術文献情報としては、例えば、特許文献１が知られている。
【特許文献１】特開２００８−３１１１６３号公報
【発明の開示】
【発明が解決しようとする課題】
【００１５】
しかしながら、上記従来の電池ユニットにおいては、温度ヒューズ３の端子３Ａのランド４への半田付け時に、図９に示すように、余分な半田６がフラックス７内外に球状の半田ボール６Ａとして析出し、この後、ブラシ等でフラックス７を除去する際、この半田ボール６Ａがスイッチング素子２の電極の間等に付着して、短絡等の不具合が生じる場合があるため、別途洗浄等を行う必要があり、製作に手間がかかってしまうという課題があった。
【００１６】
本発明は、このような従来の課題を解決するものであり、容易に製作が行え、確実な電子回路の保護が可能な電池ユニットを提供することを目的とする。
【課題を解決するための手段】
【００１７】
上記目的を達成するために本発明は、温度ヒューズの端子が半田付けされるランド上面に、略額縁状の絶縁部を設けて電池ユニットを構成したものであり、温度ヒューズの端子をランドへ半田付けする際、フラックス内の余分な半田は絶縁部外方のランド上面に凝固し、半田ボール等が生じることを防ぐことができるため、別途洗浄等の手間がかからず、容易に製作が行えると共に、スイッチング素子の電極間の短絡等を防止し、確実な電子回路の保護が可能な電池ユニットを得ることができるという作用を有するものである。
【発明の効果】
【００１８】
以上のように本発明によれば、製作が容易で、確実な電子回路の保護が可能な電池ユニットを実現することができるという有利な効果が得られる。
【発明を実施するための最良の形態】
【００１９】
以下、本発明の実施の形態について、図１〜図６を用いて説明する。
【００２０】
なお、背景技術の項で説明した構成と同一構成の部分には同一符号を付して、詳細な説明を簡略化する。
【００２１】
（実施の形態）
図１は本発明の一実施の形態による電池ユニットの断面図、図２は同斜視図であり、同図において、１は紙フェノールやガラス入りエポキシ等の配線基板、２はＦＥＴやトランジスタ等のスイッチング素子で、配線基板１の上下面には銅等によって複数の配線パターン（図示せず）やランドが形成されると共に、配線基板１上面の複数のランド（図示せず）に、スイッチング素子２が半田付けによって実装接続されている。
【００２２】
また、３は略円筒状でセラミック等の筒内に可溶金属が内蔵された温度ヒューズで、左右の端子３Ａ先端が略矩形状のランド１４上面の、略額縁状でエポキシやポリエステル等の絶縁部１５内方に半田６によって半田付けされて、スイッチング素子２近傍の配線基板１上面に載置されている。
【００２３】
さらに、５はシリコーン等の熱伝導性樹脂で、この熱伝導性樹脂５がスイッチング素子２外周と温度ヒューズ３との間に塗布されて、電池ユニットが構成されている。
【００２４】
なお、このような電池ユニットを製作する際には、先ず配線基板１上面のランド上面にクリーム半田を印刷した後、ランドにスイッチング素子２の電極を載置し加熱して、配線基板１にスイッチング素子２を半田付けする。
【００２５】
そして、図３の斜視図に示すように、温度ヒューズ３の端子３Ａ先端を略矩形状のランド１４上の絶縁部１５内方に載せて、温度ヒューズ３をスイッチング素子２近傍に載置し、スイッチング素子２と温度ヒューズ３との間に熱伝導性樹脂５を塗布する。
【００２６】
さらに、この後、図４の部分断面図に示すように、半田鏝によって半田６をランド１４上面の絶縁部１５内方に溶融塗布して、温度ヒューズ３の端子３Ａをランド１４に半田付けし、熱伝導性樹脂５を乾燥させた後、半田６に含まれ配線基板１上面に付着したフラックス７をブラシ等で除去して、図１や図２に示すような電池ユニットが完成する。
【００２７】
なお、このように温度ヒューズ３の端子３Ａをランド１４に半田付けする際、半田鏝によってランド１４は絶縁部１５内方も外方も加熱されているため、端子３Ａが略額縁状の絶縁部１５内方のランド１４上面に、半田６によって確実に固着されると共に、フラックス７内の余分な半田６Ｂは、絶縁部１５外方のランド１４上面に凝固して、フラックス７内外に球状の半田ボール等が析出しないようになっている。
【００２８】
つまり、この後、配線基板１上面に付着したフラックス７をブラシ等で除去する際にも、余分な半田６Ｂは絶縁部１５外方のランド１４上面に固着されたままであり、これが外れてスイッチング素子２の電極の間等に付着し、短絡等が生じることはないため、別途洗浄等を行う必要はなく、短い時間で容易に製作が可能なように構成されている。
【００２９】
そして、このように構成された電池ユニットが、携帯電話やビデオカメラ等の電子機器内に収納装着されると共に、スイッチング素子２が温度ヒューズ３を介して、配線パターンやコネクタ（図示せず）等によって、電池（図示せず）や機器の電子回路（図示せず）に接続される。
【００３０】
以上の構成において、機器を携帯時には、スイッチング素子２を介して電池から電子回路に電源が供給されて、機器の様々な操作が行われ、また、電池に充電を行う際には、スイッチング素子２が切換えられ、このスイッチング素子２を介して充電器等から電池に充電が行われる。
【００３１】
なお、このような機器の操作時や電池への充電時等に、万が一、回路の短絡等が生じスイッチング素子２に過電流が流れた場合、この過電流によってスイッチング素子２が発熱するが、この熱は熱伝導性樹脂５に伝わり、さらに熱伝導性樹脂５を介して温度ヒューズ３に伝わる。
【００３２】
そして、過電流がある程度以上、例えば５Ａ以上の過電流が流れ、温度ヒューズ３に伝わる熱が所定温度以上、例えば１３５℃以上になった場合には、温度ヒューズ３が溶断して、電池からのスイッチング素子２や電子回路への電源供給が遮断されるようになっている。
【００３３】
つまり、電池とスイッチング素子２の間に接続された温度ヒューズ３が、過電流等によるスイッチング素子２の発熱を検出し、この熱が所定温度以上になった場合には、電池からの電源供給を遮断することによって、短絡等による機器の損傷を未然に防ぐように構成されている。
【００３４】
また、この時、上述したように、温度ヒューズ３の端子３Ａが半田付けされる略矩形状のランド１４上面には、略額縁状の絶縁部１５が形成され、フラックス７内の余分な半田６Ｂは絶縁部１５外方のランド１４上面に凝固し、半田ボール等が生じないようになっているため、スイッチング素子２の電極間の短絡等を防ぎ、確実な電子回路の保護が行えるようになっている。
【００３５】
なお、以上の説明では、略矩形状のランド１４上面に、略額縁状の絶縁部１５を設けた構成について説明したが、図５の部分斜視図や図６の部分断面図に示すように、略矩形状のランド１６に略額縁状の切欠部１６Ａを設けると共に、桟部１６Ｂによって中央部１６Ｃと外周部１６Ｄを連結し、この切欠部１６Ａに略額縁状の絶縁部１５を形成した構成としても、本発明の実施は可能であり、同様の効果を得ることができる。
【００３６】
つまり、同図において、温度ヒューズ３の端子３Ａをランド１６に半田付けする際、半田鏝によって桟部１６Ｂで連結された中央部１６Ｃも外周部１６Ｄも加熱され、フラックス７内の余分な半田６Ｂは、絶縁部１５外方の外周部１６Ｄ上面に凝固して、フラックス７内外に球状の半田ボール等が析出しないようになっている。
【００３７】
このように本実施の形態によれば、温度ヒューズ３の端子３Ａが半田付けされるランド１４や１６上面に、略額縁状の絶縁部１５を設けることによって、温度ヒューズ３の端子３Ａをランド１４や１６へ半田付けする際、フラックス７内の余分な半田６Ｂは絶縁部１５外方のランド１４や１６上面に凝固し、半田ボール等が生じることを防ぐことができるため、別途洗浄等の手間がかからず、容易に製作が行えると共に、スイッチング素子２の電極間の短絡等を防止し、確実な電子回路の保護が可能な電池ユニットを得ることができるものである。
【００３８】
なお、以上の説明では、略矩形状のランド１４や１６上面に、略額縁状の絶縁部１５を設けた構成について説明したが、多角形状や円形状、楕円形状のランド上面に、多角形状や略リング状の絶縁部を略額縁状に形成した構成としても、本発明の実施は可能である。
【産業上の利用可能性】
【００３９】
本発明による電池ユニットは、製作が容易で、確実な電子回路の保護が可能なものが得られ、各種電子機器の電池ユニットとして有用である。
【図面の簡単な説明】
【００４０】
【図１】本発明の一実施の形態による電池ユニットの断面図
【図２】同斜視図
【図３】同斜視図
【図４】同部分断面図
【図５】同他の実施の形態による部分斜視図
【図６】同部分断面図
【図７】従来の電池ユニットの斜視図
【図８】同斜視図
【図９】同部分断面図
【符号の説明】
【００４１】
１  配線基板
２  スイッチング素子
３  温度ヒューズ
３Ａ  端子
５  熱伝導性樹脂
６、６Ｂ  半田
７  フラックス
１４、１６  ランド
１５  絶縁部
１６Ａ  切欠部
１６Ｂ  桟部
１６Ｃ  中央部
１６Ｄ  外周部
【図１】
2010165617.tif 000003
【図２】
2010165617.tif 000004
【図３】
2010165617.tif 000005
【図４】
2010165617.tif 000006
【図５】
2010165617.tif 000007
【図６】
2010165617.tif 000008
【図７】
2010165617.tif 000009
【図８】
2010165617.tif 000010
【図９】
2010165617.tif 000011